(57)【要約】      （修正有）【課題】被包装物を包装し、かつ、包装した状態で被包装物を外側から見ることができる包装具を提供する。【解決手段】包装具１０は、被包装物の上部を覆う第１基本面部１１と、第１基本面部１１に連続して折り曲げ線１２Ａを介して設けられ、折り曲げ線１２Ａにおいて折り曲げられることにより、互いに間隔を開けて被包装物の側部を覆う第１側面部１３、第２側面部１４、及び、第３側面部１５と、第３側面部１５に連続して折り曲げ線１２Ｂを介して第１基本面部１１の反対側に設けられ、折り曲げ線１２Ｂにおいて折り曲げられることにより、被包装物の底部を覆う第２基本面部１６とを備えている。【選択図】図１
0003220440.tif 000002
【実用新案登録請求の範囲】
【請求項１】
被包装物を包装する包装具であって、
前記被包装物の上部又は底部を覆う第１基本面部と、
前記第１基本面部に連続して設けられ、折り曲げられることにより、互いに間隔を開けて前記被包装物の側部を覆う第１側面部、第２側面部、及び、第３側面部と、
前記第３側面部に連続して前記第１基本面部の反対側に設けられ、折り曲げられることにより、前記被包装物の底部又は上部を覆う第２基本面部と
を備えたことを特徴とする包装具。
【請求項２】
前記第１側面部の前記第１基本面部と反対側に、第１差込み片又は第１フラップが設けられ、
前記第２側面部の前記第１基本面部と反対側に、第２差込み片又は第２フラップが設けられ、
前記第２基本面部に、前記第１差込み片に対応して第１フラップが設けられるか、又は、前記第１フラップに対応して第１差込み片が設けられると共に、前記第２差込み片に対応して第２フラップが設けられるか、又は、前記第２フラップに対応して第２差込み片が設けられ、
前記第１フラップと前記第２基本面部あるいは前記第１側面部との境界部、又は、前記第１フラップには、前記第１差込み片に対応して第１切り込みが形成され、
前記第２フラップと前記第２基本面部あるいは前記第２側面部との境界部、又は、前記第２フラップには、前記第２差込み片に対応して第２切り込みが形成され、
前記第１差込み片を前記第１切り込みに差し込み、前記第２差込み片を前記第２切り込みに差し込むことにより、前記第１側面部及び前記第２側面部と前記第２基本面部とが固定される
ことを特徴とする請求項１記載の包装具。
【請求項３】
前記第１側面部は、第１側面本体部と、この第１側面本体部に連続して前記第１基本面部の反対側及び前記第１基本面部の側のうちの少なくとも一方に設けられ、前記第１側面本体部に対して斜めになるように折り曲げられる第１傾斜部とを有し、
前記第２側面部は、第２側面本体部と、この第２側面本体部に連続して前記第１基本面部の反対側及び前記第１基本面部の側のうちの少なくとも一方に設けられ、前記第２側面本体部に対して斜めになるように折り曲げられる第２傾斜部とを有し、
前記第３側面部は、第３側面本体部と、この第３側面本体部に連続して前記第１基本面部の反対側及び前記第１基本面部の側のうちの少なくとも一方に設けられ、前記第３側面本体部に対して斜めになるように折り曲げられる第３傾斜部とを有する
ことを特徴とする請求項１又は請求項２記載の包装具。
【請求項４】
前記第１側面部、前記第２側面部、及び、前記第３側面部には、それぞれ、両側部の少なくとも一部に、幅が広くなるように拡張され、折り曲げ可能とされた拡張部が設けられたことを特徴とする請求項１から請求項３のいずれか１に記載の包装具。
【考案の詳細な説明】
【技術分野】
【０００１】
本考案は、例えば、瓶等の容器に飲食物等を入れた被包装物を包装する包装具に関する。
【背景技術】
【０００２】
飲食物等を瓶等の容器に入れて販売する場合、持ち運び時に破損しないように、容器の周りをクッション材で覆い、袋や箱等の包装具で包装している。しかしながら、販売時に、一つ一つクッション材で覆い、包装具で包装するのは手間がかかり、面倒であるという問題があった。箱の中にクッション材を設けた包装具もあるが（例えば、特許文献１参照）、販売時に包装の手間がかかるのは同じである。また、被包装物を予め包装具に包装した状態で展示することも考えられるが、袋や箱等の包装具で包装した状態では外側から被包装物を見ることができず、商品が分かりにくいという問題があった。
【先行技術文献】
【特許文献】
【０００３】
【特許文献１】特開２０１５−２２４０４６号公報
【考案の概要】
【考案が解決しようとする課題】
【０００４】
本考案は、このような問題に基づきなされたものであり、被包装物を包装し、かつ、包装した状態で被包装物を外側から見ることができる包装具を提供することを目的とする。
【課題を解決するための手段】
【０００５】
本考案の包装具は、被包装物を包装するものであって、被包装物の上部又は底部を覆う第１基本面部と、第１基本面部に連続して設けられ、折り曲げられることにより、互いに間隔を開けて被包装物の側部を覆う第１側面部、第２側面部、及び、第３側面部と、第３側面部に連続して第１基本面部の反対側に設けられ、折り曲げられることにより、被包装物の底部又は上部を覆う第２基本面部とを備えたものである。
【考案の効果】
【０００６】
本考案の包装具によれば、第１基本面部に連続して設けられ、折り曲げられることにより、互いに間隔を開けて被包装物の側部を覆う第１側面部、第２側面部、及び、第３側面部を備えるようにしたので、被包装物を包装しつつ、それらの間から被包装物を見ることができる。よって、包装具で包装した状態で展示しても、被包装物の内容を知ることができ、かつ、そのまま販売することができるので、販売時の手間を大幅に削減することができる。
【０００７】
また、包装具の外側及び内側に被包装物の内容について記載することができるので、容器に記載が義務づけられている事項を記載したシールを貼らなくてもよく、手間を削減することができる。更に、容器に透明な瓶などを用いる場合には、内容物がシールに隠れることなく包装具の隙間から見ることができる。
【０００８】
加えて、第１差込み片を第１切り込みに差し込み、第２差込み片を第２切り込みに差し込むことにより、第１側面部及び第２側面部と第２基本面部とを固定するようにすれば、簡単に固定することができる。
【０００９】
更にまた、第１側面部が第１側面本体部と第１傾斜部とを有し、第２側面部が第２側面本体部と第２傾斜部とを有し、第３側面部が第３側面本体部と第３傾斜部とを有し、第１傾斜部、第２傾斜部、及び、第３傾斜部を、第１側面本体部、第２側面本体部、又は、第３側面本体部に対して斜めになるように折り曲げるようにすれば、容器などの被包装物の底部を安定して支持することができると共に、包装具と被包装物との間に隙間ができて包装具が衝撃により変形することを防止することができる。
【００１０】
加えてまた、第１側面部、第２側面部、及び、第３側面部の両側部の少なくとも一部に、幅が広くなるように拡張され、折り曲げ可能とされた拡張部を設けるようにすれば、瓶などの容器の形状に沿って、より安定して被包装物を包装することができる。
【図面の簡単な説明】
【００１１】
【図１】本考案の一実施の形態に係る包装具の展開図である。
【図２】図１に示した包装具を組み立てている途中の状態を表す図である。
【図３】図１に示した包装具を組み立てて被包装物を包装した状態を表す図である。
【図４】図１に示した包装具を組み立てて被包装物を包装した状態を底部側から見た図である。
【図５】図１に示した包装具を組み立てて被包装物を包装した状態を上部側から見た図である。
【考案を実施するための形態】
【００１２】
以下、本考案の実施の形態について、図面を参照して詳細に説明する。
【００１３】
図１は、本考案の一実施の形態に係る包装具１０の展開構成を表すものである。図２は被包装物Ｍを載せて包装具１０を組み立てている途中の状態を表すものである。図３は包装具１０を組み立てて被包装物Ｍを包装した状態を表すものである。図４は包装具１０を組み立てて被包装物Ｍを包装した状態を底部側から見た図である。図５は包装具１０を組み立てて被包装物Ｍを包装した状態を上部側から見た図である。なお、図２、図３、図４及び図５では、分かりやすくするために被包装物Ｍに梨地を付して示している。
【００１４】
この包装具１０は、被包装物Ｍを包装するものであり、例えば、厚紙により構成され、所定の折曲線に沿って折り曲げて組み立てることにより被包装物Ｍを包装するようになっている。被包装物Ｍとしては、例えば、瓶等の容器に飲食物等を入れたものが好ましく挙げられる。
【００１５】
包装具１０は、例えば、被包装物Ｍの上部を覆う第１基本面部１１と、第１基本面部１１に連続して折り曲げ線１２Ａを介して設けられ、折り曲げ線１２Ａにおいて折り曲げられることにより、互いに間隔を開けて被包装物Ｍの側部を覆う第１側面部１３、第２側面部１４、及び、第３側面部１５と、第３側面部１５に連続して折り曲げ線１２Ｂを介して第１基本面部１１の反対側に設けられ、折り曲げ線１２Ｂにおいて折り曲げられることにより、被包装物Ｍの底部を覆う第２基本面部１６とを備えている。すなわち、この包装具１０は、第１側面部１３、第２側面部１４、及び、第３側面部１５の間に隙間が設けられており、この隙間から被包装物Ｍを見ることができるようになっている。なお、第１基本面部１１は被包装物Ｍの上部の少なくとも一部を覆っていればよく、第２基本面部１６は被包装物Ｍの底部の少なくとも一部を覆っていればよい。
【００１６】
第１側面部１３の第１基本面部１１と反対側には、例えば、折り曲げ線１２Ｃを介して連続して第１差込み片１７が設けられている。同様に、第２側面部１４の第１基本面部１１と反対側には、例えば、折り曲げ線１２Ｄを介して連続して第２差込み片１８が設けられている。第２基本面部１６には、例えば、第１差込み片１７に対応して、折り曲げ線１２Ｅを介して第１フラップ１６Ａが連続して設けられると共に、第２差込み片１８に対応して、折り曲げ線１２Ｅを介して第２フラップ１６Ｂが連続して設けられている。
【００１７】
第１フラップ１６Ａと第２基本面部１６との境界部又は第１フラップ１６Ａには、例えば、第１差込み片１７に対応して第１切り込み１６Ｂが形成されている。第２フラップ１６Ｃと第２基本面部１６との境界部又は第２フラップ１６Ｃには、例えば、第２差込み片１８に対応して第２切り込み１６Ｄが形成されている。第２基本面部１６と第１側面部１３及び第２側面部１４とは、例えば、第１差込み片１７を折り曲げ線１２Ｃにおいて折り曲げて第１切り込み１６Ｂに差し込み、第２差込み片１８を折り曲げ線１２Ｅにおいて折り曲げて第２切り込み１６Ｄに差し込むことにより固定されるようになっている。
【００１８】
なお、第１側面部１３の第１基本面部１１と反対側に第１フラップ１６Ａを設け、第２側面部１４の第１基本面部１１と反対側に第２フラップ１６Ｃを設け、第２基本面部１６に第１フラップ１６Ａに対応して第１差込み片１７を設けると共に、第２フラップ１６Ｃに対応して第２差込み片１８を設けるようにしてもよい。この場合、第１フラップ１６Ａと第１側面部１３との境界部、又は、第１フラップ１６Ａに、第１差込み片１７に対応して第１切り込み１６Ｂを形成し、第２フラップ１６Ｃと第２側面部１４との境界部、又は、第２フラップ１６Ｃに、第２差込み片１８に対応して第２切り込み１６Ｄを形成して、第１差込み片１７を第１切り込み１６Ｂに差し込み、第２差込み片１８を第２切り込み１６Ｄに差し込むことにより、第１側面部１３及び第２側面部１４と第２基本面部１６とを固定することができる。
【００１９】
第１側面部１３は、例えば、第１側面本体部１３Ａと、この第１側面本体部１３Ａに連続して第１基本面部１１の反対側に設けられた第１傾斜部１３Ｂとを有していることが好ましい。第１側面本体部１３Ａは、被包装物Ｍの側部を主として覆うものである。第１傾斜部１３Ｂは、第１側面本体部１３Ａと折り曲げ線１２Ｆを介して連続し、第１差込み片１７と折り曲げ線１２Ｃを介して連続しており、第１側面本体部１３Ａ及び第１差込み片１７に対してそれぞれ斜めになるように折り曲げ線１２Ｆ，１２Ｃにおいて折り曲げられることにより、被包装物Ｍの底部側の形状、例えば、瓶などの容器の形状に沿って覆うことができるようにするものである。
【００２０】
同様に、第２側面部１４は、例えば、第２側面本体部１４Ａと、この第２側面本体部１４Ａに連続して第１基本面部１１の反対側に設けられた第２傾斜部１４Ｂとを有していることが好ましい。第２側面本体部１４Ａは、被包装物Ｍの側部を主として覆うものである。第２傾斜部１４Ｂは、第２側面本体部１４Ａと折り曲げ線１２Ｇを介して連続し、第２差込み片１８と折り曲げ線１２Ｄを介して連続しており、第２側面本体部１４Ａ及び第２差込み片１８に対してそれぞれ斜めになるように折り曲げ線１２Ｇ，１２Ｄにおいて折り曲げられることにより、被包装物Ｍの底部側の形状に沿って覆うことができるようにするものである。
【００２１】
同様に、第３側面部１５は、例えば、第３側面本体部１５Ａと、この第３側面本体部１５Ａに連続して第１基本面部１１の反対側に設けられた第３傾斜部１５Ｂとを有していることが好ましい。第３側面本体部１５Ａは、被包装物Ｍの側部を主として覆うものである。第３傾斜部１５Ｂは、第３側面本体部１５Ａと折り曲げ線１２Ｈを介して連続し、第２基本面部１６と折り曲げ線１２Ｂを介して連続しており、第３側面本体部１５Ａ及び第２基本面部１６に対してそれぞれ斜めになるように折り曲げ線１２Ｈ，１２Ｂにおいて折り曲げられることにより、被包装物Ｍの底部側の形状に沿って覆うことができるようにするものである。
【００２２】
更に、第１側面部１３、第２側面部１４、及び、第３側面部１５には、例えば、両側部の少なくとも一部に、幅が広くなるように拡張され、折り曲げ線１２Ｉにおいて折り曲げ可能とされた拡張部１３Ｃ，１４Ｃ，１５Ｃがそれぞれ設けられることが好ましい。被包装物Ｍの形状、例えば、瓶などの容器の形状に沿って覆うことができるようにするためである。
【００２３】
この包装具１０は、例えば、次のようにして用いられる。まず、第１基本面部１１の上に被包装物Ｍの上側を下向きにして載せ、第１側面部１３，第２側面部１４、及び、第３側面部１５を折り曲げ線１２Ａにおいて折り曲げて、被包装物Ｍの側部を覆う。次いで、第１傾斜部１３Ｂを折り曲げ線１２Ｆにおいて折り曲げ、第２傾斜部１４Ｂを折り曲げ線１２Ｇで折り曲げ、第３傾斜部１５Ｂを折り曲げ線１２Ｈで折り曲げて、被包装物Ｍの底部側の側部を覆う。続いて、第２基本面部１６を折り曲げ線１２Ｂで折り曲げて被包装物Ｍの底部を覆う。次に、第１フラップ１６Ａを折り曲げ線１２Ｅにおいて折り曲げ、第２フラップ１６Ｃを折り曲げ線１２Ｅにおいて折曲げると共に、第１差込み片１７を折り曲げ線１２Ｃにおいて折り曲げて第１切り込み１６Ｂに挿入し、第２差込み片１８を折り曲げ線１２Ｄにおいて折り曲げて第２切り込み１６Ｄに挿入し、第２基本面部１６と第１側面部１３及び第２側面部１４とを固定する。これにより、被包装物Ｍが包装される。
【００２４】
このように本実施の形態によれば、第１基本面部１１に連続して設けられ、折り曲げられることにより、互いに間隔を開けて被包装物Ｍの側部を覆う第１側面部１３、第２側面部１４、及び、第３側面部１５を備えるようにしたので、被包装物Ｍを包装しつつ、それらの間から被包装物Ｍを見ることができる。よって、包装具１０で包装した状態で展示しても、被包装物Ｍの内容を知ることができ、かつ、そのまま販売することができるので、販売時の手間を大幅に削減することができる。
【００２５】
また、包装具１０の外側及び内側に被包装物Ｍの内容について記載することができるので、容器に記載が義務づけられている事項を記載したシールを貼らなくてもよく、手間を削減することができる。更に、容器に透明な瓶などを用いる場合には、内容物がシールに隠れることなく包装具１０の隙間から見ることができる。
【００２６】
加えて、第１差込み片１７を第１切り込み１６Ｂに差し込み、第２差込み片１８を第２切り込み１６Ｄに差し込むことにより、第１側面部１３及び第２側面部１４と第２基本面部１６とを固定するようにすれば、簡単に固定することができる。
【００２７】
更にまた、第１側面部１３が第１側面本体部１３Ａと第１傾斜部１３Ｂとを有し、第２側面部１４が第２側面本体部１４Ａと第２傾斜部１４Ｂとを有し、第３側面部１５が第３側面本体部１５Ａと第３傾斜部１５Ｂとを有し、第１傾斜部１３Ｂ、第２傾斜部１４Ｂ、及び、第３傾斜部１５Ｂを、第１側面本体部１３Ａ、第２側面本体部１４Ａ、又は、第３側面本体部１５Ａに対して斜めになるように折り曲げるようにすれば、容器などの被包装物Ｍの底部を安定して支持することができると共に、包装具１０と被包装物Ｍとの間に隙間ができて包装具１０が衝撃により変形することを防止することができる。
【００２８】
加えてまた、第１側面部１３、第２側面部１４、及び、第３側面部１５の両側部の少なくとも一部に、幅が広くなるように拡張され、折り曲げ可能とされた拡張部１３Ｃ，１４Ｃ，１５Ｃを設けるようにすれば、瓶などの容器の形状に沿って、より安定して被包装物Ｍを包装することができる。
【００２９】
以上、実施の形態を挙げて本考案を説明したが、本考案は上記実施の形態に限定されるものではなく、種々変形可能である。例えば、上記実施の形態では、第１基本面部１１により被包装物Ｍの上部を覆い、第２基本面部１６により被包装物Ｍの底部を覆う場合によついて説明したが、第１基本面部１１により被包装物Ｍの底部を覆い、第２基本面部１６により被包装物Ｍの上部を覆うようにしてもよい。この場合、第１傾斜部１３Ｂを第１側面本体部１３Ａに連続して第１基本面部１１の側に設け、第２傾斜部１４Ｂを第２側面本体部１４Ａに連続して第１基本面部１１の側に設け、第３傾斜部１５Ｂを第３側面本体部１５Ａに連続して第１基本面部１１の側に設けるようにすれば、上記実施の形態において説明したように、第１傾斜部１３Ｂ、第２傾斜部１４Ｂ、及び、第３傾斜部１５Ｂにより被包装物Ｍの底部を安定して支持することができる。
【００３０】
また、上記実施の形態では、第１側面部１３、第２側面部１４、第３側面部１５において、第１傾斜部１３Ｂを第１側面本体部１３Ａに連続して第１基本面部１１の反対側に設け、第２傾斜部１４Ｂを第２側面本体部１４Ａに連続して第１基本面部１１の反対側に設け、第３傾斜部１５Ｂを第３側面本体部１５Ａに連続して第１基本面部１１の反対側に設ける場合について説明したが、被包装物Ｍの形状に応じて、第１傾斜部１３Ｂを第１側面本体部１３Ａに連続して第１基本面部１１の側に設け、第２傾斜部１４Ｂを第２側面本体部１４Ａに連続して第１基本面部１１の側に設け、第３傾斜部１５Ｂを第３側面本体部１５Ａに連続して第１基本面部１１の側に設けるようにしてもよい。更に、被包装物Ｍの形状に応じて、第１傾斜部１３Ｂを第１側面本体部１３Ａに連続して第１基本面部１１の側及び反対側に設け、第２傾斜部１４Ｂを第２側面本体部１４Ａに連続して第１基本面部１１の側及び反対側に設け、第３傾斜部１５Ｂを第３側面本体部１５Ａに連続して第１基本面部１１の側及び反対側に設けるようにしてもよい。
【００３１】
加えて、上記実施の形態では、各構成要素について具体的に説明したが、全ての構成要素を備えていなくてもよく、他の構成要素を備えていてもよい。また、各構成要素の形状を図面において具体的に示したが、各構成要素の形状は、被包装物の形状やデザインにより適宜変更することができる。
【符号の説明】
【００３２】
１０…包装具、１１…第１基本面部、１２Ａ，１２Ｂ，１２Ｃ，１２Ｄ，１２Ｅ，１２Ｆ，１２Ｇ，１２Ｈ，１２Ｉ…折り曲げ線、１３…第１側面部、１３Ａ…第１側面本体部、１３Ｂ…第１傾斜部、１３Ｃ…拡張部、１４…第２側面部、１４Ａ…第２側面本体部、１４Ｂ…第２傾斜部、１４Ｃ…拡張部、１５…第３側面部、１５Ａ…第３側面本体部、１５Ｂ…第３傾斜部、１５Ｃ…拡張部、１６…第２基本面部、１６Ａ…第１フラップ、１６Ｂ…第１切り込み、１６Ｃ…第２フラップ、１６Ｄ…第２切り込み、１７…第１差込み片、１８…第２差込み片
【図１】
0003220440.tif 000003
【図２】
0003220440.tif 000004
【図３】
0003220440.tif 000005
【図４】
0003220440.tif 000006
【図５】
0003220440.tif 000007